(57)【要約】【課題】利用者個人を特定することにより、利用者の好みに合った乗りかご内の利用環境を得ることができるエレベータシステムを提供する【解決手段】エレベータの乗り場呼び登録装置１８に利用者個人を特定する認証装置１８ｂを設けたエレベータシステムで、利用環境登録手段利用者毎に、乗りかご１１内の利用環境を予め登録しておく。乗り場呼び登録装置１８からの呼び登録が認証装置１８ｂにより特定された利用者からの呼びの場合、その利用者を乗せる乗りかご１１の利用環境を、その利用者に対して予め登録された利用環境に制御する。【選択図】図１
2007254077.tif 000002
【特許請求の範囲】
【請求項１】
エレベータの呼び登録装置に利用者個人を特定する認証装置を設けたエレベータシステムであって、
前記利用者毎に、乗りかご内の利用環境が予め登録されている利用環境登録手段と、
前記呼び登録装置からの呼び登録が前記認証装置により特定された利用者からの呼びの場合、その利用者を乗せる乗りかごの利用環境を、その利用者に対して予め登録された利用環境に制御する環境制御手段と
を備えたことを特徴とするエレベータシステム。
【請求項２】
利用環境登録手段は、乗りかご内の利用環境として、乗りかご内の照明照度を利用者毎に登録していることを特徴とする請求項１に記載のエレベータシステム。
【請求項３】
利用環境登録手段は、乗りかご内の利用環境として、乗りかご内に出力される音楽の曲目を利用者毎に登録していることを特徴とする請求項１又は請求項２に記載のエレベータシステム。
【発明の詳細な説明】
【技術分野】
【０００１】
本発明は、利用者を認識して、呼び登録処理を行うエレベータシステムに関する。
【背景技術】
【０００２】
エレベータの乗りかご内部は外部から閉鎖された空間となるため、通常、天井部に設けられた照明器具により常時照明されている。従来、この照明は、一定照度であることが殆どであった。このような一定照度の照明に対し、時間帯毎に照度を自動的に調節するような提案がなされている（例えば、特許文献１参照）。
【特許文献１】特開平７−２０６２７６号公報
【発明の開示】
【発明が解決しようとする課題】
【０００３】
このように、照度を調節することは既に考えられているが、この場合においても、設定時刻毎に予め決められた照度に変化させるだけであり、利用者の好みに関係なく設定されている。
【０００４】
一般に、高層マンション等のエレベータでは、マンション住人が単独でエレベータを利用する機会が比較的多く、このような場合、利用者である個人は、かご内の利用環境である照明照度等を自分の好みに合わせた状態に調節できることが望まれている。
【０００５】
本発明の目的は、利用者個人を特定することにより、利用者の好みに合った乗りかご内の利用環境を得ることができるエレベータシステムを提供することにある。
【課題を解決するための手段】
【０００６】
本発明によるエレベータシステムは、エレベータの呼び登録装置に利用者個人を特定する認証装置を設けたエレベータシステムであって、前記利用者毎に、乗りかご内の利用環境が予め登録されている利用環境登録手段と、前記呼び登録装置からの呼び登録が前記認証装置により特定された利用者からの呼びの場合、その利用者を乗せる乗りかごの利用環境を、その利用者に対して予め登録された利用環境に制御する環境制御手段とを備えたことを特徴とする。
【０００７】
本発明では、利用環境登録手段は、乗りかご内の利用環境として、乗りかご内の照明照度を利用者毎に登録している。
【０００８】
また、本発明では、利用環境登録手段は、乗りかご内の利用環境として、乗りかご内に出力される音楽の曲目を利用者毎に登録してもよい。
【発明の効果】
【０００９】
本発明によれば、予め利用者毎に乗りかご内の利用環境を利用者の好みに合わせて設定しておくので、認証装置を設けたエレベータの呼び登録装置により利用者個人を特定することにより、乗りかご内を利用者の好みに合わせた利用環境とすることができる。
【発明を実施するための最良の形態】
【００１０】
以下、本発明によるエレベータシステムの一実施の形態について、図面を用いて詳細に説明する。
【００１１】
図１において、１１はエレベータ乗りかご（以下、単に乗りかごと呼ぶ）で、建屋内に縦方向に形成された昇降路内において、図示しないガイドレールによって昇降可能に支持されている。この乗りかご１１の正面には、かごドア１２により開閉される乗降口が設けられ、また、天井部には乗りかご１１内を照明するための照明器具１３及び乗りかご１１内に音楽（以下、ＢＧＭと略記する）等を流すスピーカ１４が設けられている。
【００１２】
１６は各階床毎のエレベータ乗り場（以下、単に乗り場と呼ぶ）で、前記昇降路に面する壁面には乗り場ドア１７により開閉される乗降口が設けられている。この乗り場ドア１７近傍の壁面には、乗り場呼び登録装置１８が設けられている。この乗り場呼び登録装置には上昇方向及び下降方向の呼びボタン１８ａと、利用者個人を特定する認証装置１８ｂとが設けられている。上記認証装置１８ｂとしては、例えば、指紋認証装置を用いればよい。
【００１３】
２０は制御盤、２１は駆動装置で、乗りかご１１の昇降路上部に設けられている。制御盤２０は、乗り場呼び登録装置１８や、図示しないかご呼び登録装置と接続しており、これらからの呼びを登録して乗りかご１１の移動先（目的階）を決定し、駆動装置２１を制御して乗りかご１１を目的階に移動させるべく上昇または下降動作させる。
【００１４】
駆動装置２１は、図示しない巻上げ機を有し、乗りかご１１と図示しない釣合い錘とを結ぶ主索２３を釣瓶状に駆動し、乗りかご１１を昇降駆動する。
【００１５】
前記制御盤２０は、乗り場呼び登録装置１８に設けられた認証装置１８ｂからの個人特定情報に基づいて、乗りかご１１に設けられた照明器具１３の照度や、スピーカ１４から流れるＢＧＭなど、かご内の利用環境を制御する機能を有する。すなわち、制御盤２０は、上記利用環境を制御する機能を実現するために、利用者毎に、乗りかご１１内の利用環境が予め登録されている利用環境登録手段と、乗り場呼び登録装置１８の認証装置１８ａにより特定された利用者に対応させて乗りかご１１内の利用環境を、予め登録された利用環境に制御する環境制御手段とを機能として有する。
【００１６】
利用環境登録手段は、乗りかご１１内の利用環境として、乗りかご１１内の照明器具１３による照明や、スピーカ１４から乗りかご１１内に出力されるＢＧＭの曲目を、利用者毎に登録している。
【００１７】
上記構成において、例えば、高層マンションのエレベータの乗りかご１１が、今、所定の待機階に停止しているものとする。このとき、同マンションの住人が玄関階の乗り場呼び登録装置１８に設けられた認証装置１８ｂにより呼び操作したものとする。制御盤２０では、上記呼び操作に基づき待機階に停止している乗りかご１１を呼びのあった階（この場合、玄関階）の乗り場１６へ移動させる。そして、制御盤２０は、認証装置１８ｂからの情報により、前記住人（個人）を特定し、その個人について予め設定してある住居階、または、乗りかご１１内のかご呼びボタンを操作して指定した目的階に向かって乗りかご１１を移動させるべく駆動装置２１を制御する。
【００１８】
このとき、制御盤２０では、前述のように、認証装置１８ｂからの情報により、利用者個人が特定されているので、環境制御手段は、利用環境登録手段を検索し、特定された利用者について予め登録されている利用環境を選択し、乗りかご１１内の利用環境を選択された環境に制御する。
【００１９】
ここで、利用環境登録手段には、前述のように、利用者個人が、自分の好みの利用環境、すなわち、照明器具１３の照度やスピーカ１４から出力されるＢＧＭの曲目を予め設定してあるので、乗りかご１１内の利用環境を、利用者自身の好みの環境とすることができる。したがって、乗りかごが玄関階に到着して利用者が乗りかご１１内に乗り込むと、乗りかご１１内は利用者自身の好みの照度やＢＧＭとなっており、目的階に到着するまでの間、この状態を維持するので快適に過ごすことができる。
【００２０】
なお、上記実施の形態では、乗りかご１１内の利用環境として、照度とＢＧＭとを例示したが、これらのいずれか一つでもよく、或いは照度やＢＧＭ以外の環境要素であってももちろんかまわない。
【００２１】
また、認証装置１８ｂとして指紋認証し装置を例示したが、個人を特定できれば何でもよく、個人情報を記録したカードなど、どのような認証装置を用いてもかまわない。
【００２２】
さらに、マンションの登録階に設けられた乗り場呼び登録装置１８について説明したが、もちろん他の任意の階の乗り場登録装置についても同様に機能する。
【図面の簡単な説明】
【００２３】
【図１】本発明によるエレベータシステムの一実施の形態を示す構成図である。
【符号の説明】
【００２４】
１１    乗りかご
１３    照明器具
１４    スピーカ
１６    乗り場
１８    乗り場呼び登録装置
１８ｂ    認証装置
２０    利用環境登録手段及び環境制御手段を機能として有する制御盤
【図１】
2007254077.tif 000003